(57)【要約】【課題】少なくとも遮蔽用トナー像を形成して白色以外の有色又は透明の記録媒体に転写する場合、その遮蔽用トナー像を含む仕上がり画像を下地となる記録媒体の影響を受けずに遮蔽性が確保された画質で形成することができる画像形成装置を提供する。【解決手段】遮蔽用トナー像及び非遮蔽用トナー像の少なくとも一方を形成して記録媒体に転写する像形成部と、前記像形成部において記録媒体に転写される前記遮蔽用トナー像及び非遮蔽用トナー像の少なくとも一方を当該記録媒体に定着させる定着部と、前記像形成部において前記遮蔽用トナー像を形成して白色以外の有色又は透明の記録媒体に転写する場合、前記定着部における定着温度、定着圧力及び定着時間の３要素で設定される定着条件のうち前記遮蔽用トナー像の定着条件について、非遮蔽用トナー像の定着条件における前記３要素の少なくとも１つの要素を増加させた条件にする制御を行う制御手段を備えている。【選択図】図５
2015022052.tif 000002
【特許請求の範囲】
【請求項１】
遮蔽用トナー像及び非遮蔽用トナー像の少なくとも一方を形成して記録媒体に転写する像形成部と、
前記像形成部において前記記録媒体に転写される前記遮蔽用トナー像及び非遮蔽用トナー像の少なくとも一方を当該記録媒体に定着させる定着部と、
前記像形成部において前記遮蔽用トナー像を形成して白色以外の有色又は透明の記録媒体に転写する場合、前記定着部における定着温度、定着圧力及び定着時間の３要素で設定される定着条件のうち前記遮蔽用トナー像の定着条件について、前記非遮蔽用トナー像の定着条件における前記３要素の少なくとも１つの要素を増加させた条件にする制御を行う制御手段と
を備えていることを特徴とする画像形成装置。
【請求項２】
前記制御手段は、前記記録媒体として王研式平滑度が２０００ｓを超える範囲の記録媒体又は表面粗さがトナーの平均粒径よりも小さい粗さからなる記録媒体を使用する場合に、前記遮蔽用トナー像の定着条件について前記３要素の少なくとも１つの要素を増加させた条件にする制御を行う請求項１に記載の画像形成装置。
【請求項３】
前記制御手段が制御する前記遮蔽用トナー像の定着条件は、定着後の遮蔽用トナー像が、そのトナー像を構成する遮蔽用トナーの粒子がつぶれて連続する膜を形成した状態で存在するようになるよう設定された条件である請求項１又は２に記載の画像形成装置。
【請求項４】
前記像形成部において前記遮蔽用トナー像を形成して記録媒体に転写した後に前記定着部において前記制御手段が制御する前記遮蔽用トナー像の定着条件により前記遮蔽用トナー像を当該記録媒体に定着させる第１動作と、
前記第１動作の後に、前記像形成部において非遮蔽用トナー像を形成して前記遮蔽用トナー像が定着された前記記録媒体に転写した後に前記定着部において前記非遮蔽用トナー像の定着条件で前記非遮蔽用トナー像を当該記録媒体に定着させる第２動作と
が行われる請求項１乃至３のいずれか１項に記載の画像形成装置。
【発明の詳細な説明】
【技術分野】
【０００１】
この発明は画像形成装置に関するものである。
【背景技術】
【０００２】
従来、転写材のもつ色等の下地の色により仕上がり画像の色味が変化して画質が劣化するのを防止する画像形成装置として、通常のトナー像と転写材間に白色トナー像を形成し、白色トナー像用の画像データとして通常のトナー像を形成するための画像データを用いるとともに、トナー像形成部に略一定量の白色トナーを付着させる処理を行う構成からなる画像形成装置が知られている（特許文献１）。
【０００３】
また、画像形成モードや記録紙の種類等に応じて与える定着熱量を切り替えることにより常に良好な定着が行える画像形成装置として、ＯＨＰフィルムへの画像形成を行う場合又は光沢度の高い画像形成を行う場合を対象としたＯＨＰ・光沢モードでの複写を行う場合に、通常モードでの定着初期速度よりも低速の定着初期速度と通常モードでの減速度よりも小さい設定の減速度とに設定された定着条件で定着を行う構成からなる画像形成装置が知られている（特許文献２）。
【０００４】
さらに、定着不良がなく裏写りのない良好な成果物が得られる画像形成装置として、白色トナー像の画像形成を行う場合と行わない場合とで定着の圧力を変更する構成からなる画像形成装置が知られている（特許文献３）。特許文献３には、例えば、上質紙やグロスコート紙などの薄紙に白色トナー像を形成して定着する場合、その定着時の加圧力を通常時の定着圧力よりも高い圧力に変更することが示されている。また、特許文献３には、白色トナーの単色の画像形成装置と４色のフルカラー画像形成装置を並べて、予め白色トナーを画像形成した後に、フルカラー画像形成を行ってもよいことが示されている。
【先行技術文献】
【特許文献】
【０００５】
【特許文献１】特開２００２−９９１２７号公報
【特許文献２】特開平０８−９５４２５号公報
【特許文献３】特開２０１２−９８６５５号公報
【発明の概要】
【発明が解決しようとする課題】
【０００６】
この発明は、少なくとも遮蔽用トナー像を形成して白色以外の有色又は透明の記録媒体に転写する場合、その遮蔽用トナー像を含む仕上がり画像を下地となる記録媒体の影響を受けずに遮蔽性が確保された画質で形成することができる画像形成装置を提供するものである。
【課題を解決するための手段】
【０００７】
この発明（Ａ１）の画像形成装置は、
遮蔽用トナー像及び非遮蔽用トナー像の少なくとも一方を形成して記録媒体に転写する像形成部と、
前記像形成部において前記記録媒体に転写される前記遮蔽用トナー像及び非遮蔽用トナー像の少なくとも一方を当該記録媒体に定着させる定着部と、
前記像形成部において前記遮蔽用トナー像を形成して白色以外の有色又は透明の記録媒体に転写する場合、前記定着部における定着温度、定着圧力及び定着時間の３要素で設定される定着条件のうち前記遮蔽用トナー像の定着条件について、前記非遮蔽用トナー像の定着条件における前記３要素の少なくとも１つの要素を増加させた条件にする制御を行う制御手段と
を備えていることを特徴とするものである。
【０００８】
また、この発明（Ａ２）の画像形成装置は、上記発明Ａ１の画像形成装置において、前記制御手段は、前記記録媒体として王研式平滑度が２０００ｓを超える範囲の記録媒体又は表面粗さがトナーの平均粒径よりも小さい粗さからなる記録媒体を使用する場合に、前記遮蔽用トナー像の定着条件について前記３要素の少なくとも１つの要素を増加させた条件にする制御を行うものである。
【０００９】
また、この発明（Ａ３）の画像形成装置は、上記発明Ａ１又はＡ２の画像形成装置において、前記制御手段が制御する前記遮蔽用トナー像の定着条件は、定着後の遮蔽用トナー像が、そのトナー像を構成する遮蔽用トナーの粒子がつぶれて連続する膜を形成した状態で存在するようになるよう設定された条件であるものである。
【００１０】
また、この発明（Ａ４）の画像形成装置は、上記発明Ａ１からＡ３のいずれかの画像形成装置において、
前記像形成部において前記遮蔽用トナー像を形成して記録媒体に転写した後に前記定着部において前記制御手段が制御する前記遮蔽用トナー像の定着条件により前記遮蔽用トナー像を当該記録媒体に定着させる第１動作と、
前記第１動作の後に、前記像形成部において非遮蔽用トナー像を形成して前記遮蔽用トナー像が定着された前記記録媒体に転写した後に前記定着部において前記非遮蔽用トナー像の定着条件で前記非遮蔽用トナー像を当該記録媒体に定着させる第２動作と
が行われるものである。
【発明の効果】
【００１１】
上記発明Ａ１の画像形成装置によれば、少なくとも遮蔽用トナー像を形成して白色以外の有色又は透明の記録媒体に転写する場合、制御手段が制御する遮蔽用トナー像の定着条件により、その遮蔽用トナー像を含む仕上がり画像を下地となる記録媒体の影響を受けずに遮蔽性が確保された画質で形成することができる。
【００１２】
上記発明Ａ２では、少なくとも遮光用トナー像を含む仕上がり画像を、上記王研式平滑度又は表面粗さからなる記録媒体の影響を受けずに遮蔽性が確保された画質で的確に形成することができる。
【００１３】
上記発明Ａ３では、前記遮蔽用トナー像の定着条件を制御手段の制御による条件と異なる条件にした場合に比べて、少なくとも遮光用トナー像を含む仕上がり画像を下地となる記録媒体の影響を受けずに遮蔽性が確保された画質で確実に形成することができる。
【００１４】
上記発明Ａ４では、その発明の構成を有しない場合に比べて、少なくとも遮光用トナー像を含む仕上がり画像を下地となる記録媒体の影響を受けずに遮蔽性が確保された画質で確実に形成することができる。
【図面の簡単な説明】
【００１５】
【図１】実施の形態１に係る画像形成装置の要部を示す概略説明図である。
【図２】図１の画像形成装置における定着条件の選択手段に関する構成を概念的に示す概略ブロック図である。
【図３】図１の画像形成装置による画像形成時における定着動作の制御内容を示すフローチャートである。
【図４】図１の画像形成装置による３つの画像パターンでそれぞれ形成されて得られる仕上がり画像の状態等を概念的に示す概略断面図である。
【図５】白色以外の有色又は透明の記録媒体に少なくとも遮蔽用トナー像を形成して得られた仕上がり像の状態を拡大して示す概略断面図であり、（ａ）は通常の定着条件で定着したときに得られた仕上がり像の状態を示し、（ｂ）は特別の定着条件で定着したときに得られた仕上がり画像の状態を示している。
【図６】評価試験１の条件の一部及びそのときの結果を示す図表である。
【図７】評価試験２の結果を示すグラフ図である。
【図８】他の実施の形態に係る画像形成装置の一例（その要部）を示す概略説明図である。
【発明を実施するための形態】
【００１６】
以下、この発明を実施するための形態（以下「実施の形態」という）について図面を参照しながら説明する。
【００１７】
［実施の形態１］
図１は、実施の形態１に係る画像形成装置の概略を示す概略説明図である。
【００１８】
実施の形態１に係る画像形成装置１Ａは、遮蔽用トナー像を形成して記録媒体９に転写する像形成部２Ａとその遮蔽用トナー像を記録媒体９に定着する定着部５Ａを有する第１の画像形成装置１０Ａと、非遮蔽用トナー像を形成して記録媒体９に転写する像形成部２Ｂとその非遮蔽用トナー像を記録媒体９に定着する定着部５Ｂを有する第２の画像形成装置１０Ｂとを接続して構成したものである。この画像形成装置１Ａは、例えば、その全体がプリンタとして構成されている。
【００１９】
このうち第１の画像形成装置１０Ａは、筐体１１Ａの内部空間に、遮蔽用トナー像を形成して記録媒体９に転写する像形成部２Ａと、像形成部２Ａに供給する記録媒体９を収容するとともに送り出す媒体供給部４Ａと、像形成部２Ａで転写された遮蔽用トナー像を記録媒体９に定着する定着部５Ａが主に配置されている。
【００２０】
ここで、遮蔽用トナーとは、記録媒体９が有する色や表面状態を主に光を反射させることによって遮蔽（隠蔽）するために使用される乾式現像剤のトナー（着色等された微粉末）である。像形成部２Ａでは、遮蔽用トナーとして例えば白色（Ｗ）のトナー（Ｔｗ）、金色（Ｇ）のトナー（Ｔｇ）及び銀色（Ｓ）のトナー（Ｔｓ）を採用しており、その各遮蔽用トナーによる遮蔽用トナー像（Ｉｗ，Ｉｇ，Ｉｓ）を個別に形成することができるよう構成されている。
【００２１】
像形成部２Ａは、上記白色トナー（Ｔｗ）、金色トナー（Ｔｇ）及び銀色トナー（Ｔｓ）からなる遮蔽用トナー像（Ｉａ）を個別に形成する３つの作像ユニット２０Ｗ，２０Ｇ、２０Ｓと、ベルト式の中間転写ユニット３０とで構成されている。
【００２２】
作像ユニット２０Ｗ，２０Ｇ、２０Ｓは、公知の電子写真方式等の記録方式を採用したものであり、現像装置で使用する遮蔽用トナーが異なる以外はほぼ共通した構成になっている。
すなわち、作像ユニット２０（Ｗ，Ｇ、Ｓ）は、矢印で示す方向（図１中において時計回りの方向）に回転駆動する感光ドラム２１の周囲に、感光ドラム２１の表面（像保持面）を所要の電位に帯電させる接触方式等の帯電装置２２と、帯電後の感光ドラム２１の表面に画像データ（信号）に基づく光を照射して所要の電位からなる静電潜像を形成するＬＥＤアレイ、レーザ走査装置等からなる露光装置２３と、その静電潜像を対応する種類の遮蔽用トナー（Ｔｗ，Ｔｇ，Ｔｓ）で現像して遮蔽用トナー像（Ｉａ）にする現像装置２４（Ｗ，Ｇ、Ｓ）と、転写後の感光ドラム２１の表面を清掃する図示しないドラム用の清掃装置等を配置して構成されている。各作像ユニット２０の露光装置２３には、図示しない画像処理部から遮蔽用トナー像を形成するための所要の画像データが送信されるようになっている。
【００２３】
中間転写ユニット３０は、作像ユニット２０Ｗ，２０Ｇ、２０Ｓにおける各感光ドラム２１にそれぞれ形成される遮蔽用トナー像（Ｉａ）を後述する中間転写ベルトで中継して記録媒体９に転写させるものである。この中間転写ユニット３０は、作像ユニット２０（Ｗ，Ｇ，Ｓ）における各感光ドラム２１の一次転写位置を通過しながら矢印で示す方向（図１中において反時計回りの方向）に回転駆動する無端ベルト状の中間転写ベルト３１と、中間転写ベルト３１を回転自在に支持する複数のベルト支持ロール３２ａ〜３２ｄと、作像ユニット２０（Ｗ，Ｇ，Ｓ）の各感光ドラム２１上の遮蔽用トナー像を中間転写ベルト３１の外周面に一次転写させる接触方式等の一次転写装置３３と、中間転写ベルト３１に一次転写された遮蔽用トナー像を記録媒体９に二次転写する接触方式等の二次転写装置３５と、二次転写後の中間転写ベルト３１の外周面を清掃するベルト用の清掃装置３６等で構成されている。
【００２４】
媒体供給部４Ａは、所要のサイズ、種類等からなる複数枚の記録媒体９を積み重ねた状態で収容するトレイ方式等の収容体４１と、その収容体４１に収容される記録媒体９を１枚ずつ搬送路に送り出すロール方式等の送出装置４２等で構成されている。収容体４１（送出装置４２）については、利用形態に応じて複数装備される。記録媒体９としては、所要のサイズに裁断されたカット紙が使用される。記録媒体９の種類としては、トナー像の形成が可能なものであれば特に限定されるものでなく、白色の記録用紙をはじめ、白色以外の有色の記録用紙や透明（無色透明又は有色透明）の記録フィルム等が可能である。
【００２５】
媒体供給部４Ａと像形成部２Ａの二次転写位置との間には、媒体供給部４Ａから送り出される記録媒体９を二次転写位置まで搬送して供給するための、搬送ロール４３ａ、ベルト搬送装置４３ｂ、搬送ガイド部材等で構成される供給搬送路４３が設けられている。また、像形成部２Ａの二次転写位置と定着部５Ａとの間には、二次転写後の記録媒体９を定着部５Ａに搬送するための、ベルト搬送装置４４ａ等で構成される中継搬送路４４が設けられている。図１における二点鎖線は、記録媒体９の主な搬送経路を示している。
【００２６】
定着部５Ａは、図示しない専用の筐体の内部に、矢印で示す方向（図中において反時計回りの方向）に所要の速度で回転駆動するとともに表面温度が所要の温度に保持されるよう加熱手段によって加熱されるロール形式、ベルト形式等の加熱用回転体５２と、この加熱用回転体５２の軸方向にほぼ沿うように所要の圧力で接触して従動回転するロール形式、ベルト形式等の加圧用回転体５３とを設置した定着装置５０Ａにて構成されている。
この定着装置５０Ａによる定着は、原則として、加熱された状態で回転する加熱用回転体５２と加圧用回転体５３が接触する接触部に、未定着の遮蔽用トナー像（Ｉａ）が転写された記録媒体９が導入され、その接触部を通過する際に（所要の時間だけ）加熱及び加圧されることで行われる。定着部５Ａの記録媒体の排出側には、定着後の記録媒体９を筐体１１Ａの外部に排出するための排出ロール４５ａ等で構成される排出搬送路４５が設けられている。
【００２７】
実施の形態１における定着装置５０Ａとしては、ベルト方式の定着装置を適用している。このベルト方式の定着装置５０Ａは、加熱用回転体５２として回転駆動する加熱ロールを使用し、加圧用回転体５３として無端状のベルトをその内側から加圧パット５４等により加熱ロールにむけて所要の幅及び圧力で押し当てて回転可能に接触させる構造のものを使用している。加熱ロールについては、そのロール内部に設置する加熱ヒータにより加熱する。
【００２８】
一方、第２の画像形成装置１０Ｂは、筐体１１Ｂの内部空間に、非遮蔽用トナー像を形成して記録媒体９に転写する像形成部２Ｂと、像形成部２Ｂに（遮蔽用トナー像が形成された）記録媒体９を供給する媒体供給部４Ｂと、像形成部２Ｂで転写された被遮蔽用トナー像を記録媒体９に定着する定着部５Ｂが主に配置されている。
【００２９】
ここで、非遮蔽用トナーとは、遮蔽用トナーのような遮蔽が要求されず、画像を形成するために使用される乾式現像剤としてのトナーである。像形成部２Ｂでは、非遮蔽用トナーとして、光を透過させて（又は光を反射させず吸収して）発色させる有色トナーのうちイエロー（Ｙ）、マゼンタ（Ｍ）、シアン（Ｃ）及びブラック（Ｋ）の４色のトナー（Ｔｙ，Ｔｍ，Ｔｃ，Ｔｋ）を採用しており、その各非遮蔽用トナー（Ｔｙ，Ｔｍ，Ｔｃ，Ｔｋ）による非遮蔽用トナー像（Ｉｂ）を個別に又は複数組み合わせて形成することができるよう構成されている。
【００３０】
像形成部２Ｂは、上記イエロー（Ｙ）、マゼンタ（Ｍ）、シアン（Ｃ）及びブラック（Ｋ）からなる各非遮蔽トナー像（Ｉｂ）を個別に形成する４つの作像ユニット２０Ｙ，２０Ｍ、２０Ｃ、２０Ｋと、ベルト式の中間転写ユニット３０とで構成されている。
【００３１】
作像ユニット２０Ｙ，２０Ｍ、２０Ｃ、２０Ｋは、公知の電子写真方式等の記録方式を採用したものであり、現像装置で使用する非遮蔽用トナーが異なる以外はほぼ共通した構成になっている。
すなわち、作像ユニット２０（Ｙ，Ｍ，Ｃ、Ｋ）は、前記作像ユニット２０（Ｗ，Ｇ、Ｓ）の場合とほぼ同様に、矢印で示す方向（図１中において時計回りの方向）に回転駆動する感光ドラム２１の周囲に、感光ドラム２１の表面を所要の電位に帯電させる接触方式等の帯電装置２２と、帯電後の感光ドラム２１の表面に画像データに基づく光を照射して所要の電位からなる静電潜像を形成する露光装置２３と、その静電潜像を対応する種類の非遮蔽用トナー（Ｔｙ，Ｔｍ，Ｔｃ，Ｔｋ）で現像して非遮蔽用トナー像（Ｉｂ）にする現像装置２４（Ｙ，Ｍ，Ｃ、Ｋ）と、転写後の感光ドラム２１の表面を清掃する図示しないドラム用の清掃装置等を配置して構成されている。各作像ユニットの露光装置２３には、図示しない画像処理部から非遮蔽トナー像を形成するための所要の画像データが送信されるようになっている。中間転写ユニット３０は、前記第１の画像形成装置１０Ａにおける像形成部２Ａの中間転写ユニット３０とほぼ同様の構成になっている。
【００３２】
媒体供給部４Ｂは、第１の画像形成装置１Ａにおいて遮蔽用トナー像が形成（転写及び定着）された記録媒体９を像形成部２Ｂの二次転写位置まで搬送して供給するものである。実施の形態１における媒体供給部４Ｂは、第１の画像形成装置１Ａにおける筐体１１Ａの外部に排出路４５と通して排出された上記記録媒体９を、筐体１１Ｂの内部に送り込んで像形成部２Ｂの二次転写位置に搬送するためのベルト搬送装置４６等を配置して構成されている。像形成部２Ｂの二次転写位置と定着部５Ｂとの間には、二次転写後の記録媒体９を定着部５Ｂに搬送するための、ベルト搬送装置４７ａ等で構成される中継搬送路４７が配置されている。
【００３３】
定着部５Ｂは、図示しない専用の筐体の内部に、矢印で示す方向（図中において反時計回りの方向）に所要の速度で回転駆動するとともに表面温度が所要の温度に保持されるように加熱手段によって加熱されるロール形式、ベルト形式等の加熱用回転体５２と、この加熱用回転体５２の軸方向にほぼ沿うように所要の圧力で接触して従動回転するロール形式、ベルト形式等の加圧用回転体５３とを設置した定着装置５０Ｂで構成されている。
この定着装置５０Ｂによる定着は、原則として、加熱された状態で回転する加熱用回転体５２と加圧用回転体５３が接触する接触部に、未定着の非遮蔽用トナー像（Ｉｂ）が転写された記録媒体９が導入され、その接触部を通過する際に（所要の時間だけ）加熱及び加圧されることで行われる。定着部５Ｂの記録媒体の排出側には、定着後の記録媒体９を筐体１１Ｂの外部に排出するための排出ロール４８ａ等で構成される排出搬送路４８が設けられている。
【００３４】
実施の形態１における定着装置５０Ｂとしては、電磁誘導加熱（ＩＨ）方式の定着装置を適用している。このＩＨ方式の定着装置５０Ｂは、加圧用回転体５３として回転駆動する加圧ロールを使用し、加熱用回転体５２として導電層を有する無端状のベルトをその内側から押付けロール又はパット５５等により加圧ロールにむけて所要の幅で押し当てて回転可能に接触させ、また無端状のベルトを電磁誘導加熱する加熱手段５６を配置した構造のものを使用している。
【００３５】
この画像形成装置１Ａは、次の３つのパターンで区別される画像形成を行うことができるよう構成されている。
すなわち、第１の画像形成装置１０Ａにおいて遮蔽用トナー像を形成することにより遮蔽用トナー像のみからなる仕上がり画像を形成する画像パターン１と、第１の画像形成装置１０Ａにおいて遮蔽用トナー像を形成した後に第２の画像形成装置１０Ｂにおいて非遮蔽用トナー像を形成することにより遮蔽用トナー像及び非遮蔽用トナー像からなる仕上がり画像を形成する画像パターン２と、第２の画像形成装置１０Ｂにおいて非遮蔽用トナー像を形成することにより非遮蔽用トナー像のみからなる仕上がり画像を形成する画像パターン３である。
【００３６】
画像パターン１の画像形成は、概略、次にようにして行われる。
【００３７】
まず、第１の画像形成装置１０Ａの像形成部２Ａにおけるいずれかの作像ユニット２０Ｗ等において白色トナー等（Ｔｗ等）からなる遮蔽用トナー像（Ｔａ）が形成された後に中間転写ユニット３０において一次転写されるとともに二次転写位置まで搬送され、その一方で、媒体供給部４Ａから所望の記録媒体９が供給搬送路４３を経由して像形成部２Ａの二次転写位置まで搬送され、その二次転写位置において上記遮蔽用トナー像が記録媒体９に二次転写される。
続いて、像形成部２Ａで遮蔽用トナー像（Ｔａ）が転写された記録媒体９が中継搬送路４４により定着部５Ａに搬送され、定着部５Ａにおいて所要の時間だけ加熱及び加圧されることで遮蔽用トナー像（Ｔａ）が記録媒体９に定着される。しかる後、その定着後の記録媒体９が、排出搬送路４５を経由して第２の画像形成装置１０Ｂに送り出された後、第２の画像形成装置１０Ｂにおける媒体供給部４Ｂ、中継搬送路４７及び排出搬送路４８を経て筐体１１Ｂの外部にある図示しない排出収容部に排出される。
【００３８】
以上の動作により、図４（ａ）に例示するように遮蔽用トナー像（Ｔａ）のみからなる仕上がり画像（Ｉａ）が形成された記録媒体９が得られる（出力される）。この画像形成時には、第２の画像形成装置１０Ｂにおける像形成部２Ｂでは、二次転写装置３５が中間転写ベルト３１から離れた離間位置に移動して記録媒体９を素通りさせる状態になり、また、定着部５Ｂでは、加圧用回転体５３が加熱用回転体５２から離れた離間位置に移動して記録媒体９を素通りさせる（定着処理しない）状態になる。
【００３９】
また、画像パターン２の画像形成は、概略、次にようにして行われる。
【００４０】
まず、第１の画像形成装置１０Ａの像形成部２Ａ及び定着部５Ａにおける動作より所要の遮蔽用トナー像（Ｔａ）が形成された記録媒体９が得られ（第１動作）、その記録媒体９が排出搬送路４５を経由して第２の画像形成装置１０Ｂに送られる。この際、遮蔽用トナー像（Ｔａ）は、記録媒体９の全面に一様に形成されるか、あるいは、後記の非遮蔽用トナー像（Ｔｂ）が形成される記録媒体９の一部領域又はその領域より少し広い領域に形成されることになる。
続いて、第２の画像形成装置１０Ｂの像形成部２Ｂにおける１つ又は複数の作像ユニット２０において非遮蔽用トナーからなる非遮蔽用トナー像（Ｔｂ）が形成された後に中間転写ユニット３０において一次転写されるとともに二次転写位置まで搬送される。その一方で、遮蔽用トナー像（Ｔａ）を有する記録媒体９が媒体供給部４Ｂにより像形成部２Ｂの二次転写位置まで搬送される。そして、その二次転写位置において上記非遮蔽用トナー像（Ｔｂ）が記録媒体９の遮蔽用トナー像（Ｔａ）上に二次転写される。
続いて、像形成部２Ｂで非遮蔽用トナー像（Ｔｂ）が転写された遮蔽用トナー像（Ｔａ）を有する記録媒体９が中継搬送路４４により定着部５Ｂに搬送され、定着部５Ｂにおいて所要の時間だけ加熱及び加圧されることで非遮蔽用トナー像（Ｔｂ）が遮蔽用トナー像（Ｔａ）を有する記録媒体９に定着される（第２動作）。しかる後、その定着後の記録媒体９が、排出搬送路４８を経て筐体１１Ｂの外部にある図示しない排出収容部に排出される。
以上の動作により、図４（ｂ）に例示するように遮蔽用トナー像（Ｔａ）と非遮蔽トナー像（Ｔｂ）からなる仕上がり画像（Ｉｂ）が形成された記録媒体９が得られる。
【００４１】
さらに、形成パターン３の画像形成は、概略、次にようにして行われる。
【００４２】
まず、第２の画像形成装置１０Ｂの像形成部２Ｂにおける１つ又は複数の作像ユニット２０において非遮蔽用トナーからなる非遮蔽用トナー像（Ｔｂ）が形成された後に中間転写ユニット３０において一次転写されるとともに二次転写位置まで搬送される。その一方で、第１の画像形成装置１０Ａの媒体供給部４Ａから所望の記録媒体９が供給搬送路４３、中継搬送路４４及び排出搬送路４６を経て第２の画像形成装置１０Ｂの媒体供給部４Ｂにより像形成部２Ｂの二次転写位置まで搬送される。そして、その二次転写位置において上記非遮蔽用トナー像（Ｔｂ）が記録媒体９に二次転写される。
続いて、像形成部２Ｂで非遮蔽用トナー像（Ｔｂ）が転写された記録媒体９が中継搬送路４７により定着部５Ｂに搬送され、定着部５Ｂにおいて所要の時間だけ加熱及び加圧されることで非遮蔽用トナー像（Ｔｂ）が記録媒体９に定着される。しかる後、その定着後の記録媒体９が、排出搬送路４８を経て筐体１１Ｂの外部にある図示しない排出収容部に排出される。
【００４３】
以上の動作により、図４（ｃ）に例示するように非遮蔽トナー像（Ｔｂ）のみからなる仕上がり画像（Ｉｃ）が形成された記録媒体９が得られる。この画像形成時には、第１の画像形成装置１０Ａにおける像形成部２Ａでは、例えば、二次転写装置３５が中間転写ベルト３１から離れた離間位置に移動して記録媒体９を素通りさせる状態になり、また、定着部５Ａでは、加圧用回転体５３が加熱用回転体５２から離れた離間位置に移動して記録媒体９を素通りさせる（定着処理しない）状態になる。
【００４４】
そして、この画像形成装置１Ａにおいては、例えば第１の画像形成装置１０Ａ側に配置された制御装置６により、各画像形成装置１０Ａ，１０Ｂにおける各構成部の動作等が総合的に制御されるよう構成されている。
【００４５】
制御装置６は、演算処理装置、記憶手段、制御手段、出入力手段等で主に構成されたものであり、各構成部の動作等に応じて設定された制御プログラムとその他の関連する情報に基づいて所定の制御動作を行うようになっている。また、制御装置６は、画像形成装置１Ａに接続又は装備される画像読取装置、パーソナルコンピュータ（ＰＣ）、記憶媒体読書き装置等の機器から送信される画像データや操作指示データ等の各情報についても把握や必要な後処理をするようになっている。
【００４６】
また、この画像形成装置１Ａにおいては、制御装置６が、遮蔽トナー像（Ｔａ）を形成する第１の画像形成装置１０Ａにおける定着部５Ａの定着条件について所望の条件にする制御を行うよう構成されている。
【００４７】
ここで、定着条件は、定着温度、定着圧力及び定着時間の３要素で設定される条件である。定着温度は、定着装置５０における加熱用回転体５２の定着時における加熱保持温度に相当する。定着圧力は、定着装置５０における加圧用回転体５３の定着時における加圧保持圧力に相当する。定着時間は、定着対象の記録媒体９を定着装置１０における加熱用回転体５２と加圧用回転体５３の接触部を通過させて定着処理を施すための所要時間であり、その接触部の移動方向の長さを回転駆動する加熱用回転体５２の回転速度で除した値に相当する。
【００４８】
そして、制御装置６は、第１の画像形成装置１０Ａの像形成部２Ａにおいて遮蔽用トナー像（Ｔａ）を形成して白色以外の有色又は透明の記録媒体９Ａに転写する場合、第１の画像形成装置１０Ａの定着部５Ａにおける遮蔽用トナー像（Ｔａ）の定着条件について、非遮蔽用トナー像（Ｔｂ）の定着条件における上記３要素の少なくとも１つの要素を増加させた条件にする制御を行うようになっている。ちなみに、この選択手段７は、白色以外の有色又は透明の記録媒体９Ａ以外の記録媒体９（白色の記録媒体など）に遮蔽用トナー像（Ｔａ）を形成する場合、上記３要素の少なくとも１つの要素を増加させた条件（以下では、この条件を「特別条件」ともいう。）を選択することなく、非遮蔽用トナー像（Ｔｂ）の定着条件である「通常の定着条件」で定着を行うことが可能になっている。
【００４９】
上記特別条件を選択する際の目安となる白色以外の有色又は透明の記録媒体９Ａとしては、例えば、上述した黒（ブラック）、イエロー（Ｙ）、マゼンタ（Ｍ）、シアン（Ｃ）や、赤色、青色、緑色や、淡い色にしたもの（例えば黒を灰色にした場合）等の有色の記録媒体（記録用紙等）９Ａや、無色透明又は有色透明の記録媒体（ＯＨＰなどの樹脂フィルムや、フィルム系粘着紙等）９Ａが対象となる。
【００５０】
また、制御装置６は、上記白色以外の有色又は透明の記録媒体９Ａのなかでも、少なくとも遮蔽用トナー像を形成する側の表面９Ａａの王研式平滑度が２０００ｓ（秒）を超える範囲の記録媒体９Ａ、又はその表面９Ｂａの表面粗さがトナーの平均粒径よりも小さい粗さからなる記録媒体９Ｂを使用する場合に、上記定着条件の特別条件にする制御が行われるように設定されている。このときの表面粗さとは、表面の微細凹凸の深さ等で表されるものである。表面粗さがトナーの平均粒径よりも小さい粗さとは、その微細凹凸の深さ等がトナーの平均粒径よりも小さい寸法からなる状態をいう。実施の形態１で使用する上記各トナーは、その平均粒径が６μｍである。ちなみに、記録媒体９Ａについては、その王研式平滑度と表面粗さがいずれも上記数値範囲に入るものが多いが、いずれか一方の数値範囲に入るだけのものがある。
王研式平滑度は、日本工業規格（ＪＩＳ）における「Ｐ８１５５（2010）」の平滑度試験方法に準拠して測定されるものである。また、上記表面粗さは、算術平均粗さ（Ｒａ）により表現した場合、算術平均粗さＲａが４μｍ以下となる範囲にほぼ相当する。この場合の算術平均粗さＲａは、ＪＩＳにおける「Ｂ０６０１(1994)」（「Ｂ００３１(1994)」）の測定方法や算出式に準拠して得られるものである。
【００５１】
このような表面特性の記録媒体９Ａは、表面平滑性が相対的に優れたものであるが、このような表面特性の記録媒体９Ａを使用する場合に、定着条件として特別条件を選択して定着を行うことにより、その仕上がり画像（Ｉａ又はＩｂ）を下地となる記録媒体９Ａの影響を受けずに遮蔽トナーによる遮蔽性が確保された画質で的確に形成することが可能になる。
【００５２】
上記定着条件の特別条件（以下「特別の定着条件」ともいう。）としては、定着温度、定着圧力又は定着時間の１つ（１要素）のみを増加させる条件や、定着温度、定着圧力及び定着時間のうちの２要素のみを増加させる条件や、定着温度、定着圧力及び定着時間の３要素のすべてを増加させる条件が挙げられる。
この場合、３要素である定着温度、定着圧力及び定着時間の増加させる割合は、実験等により設定することができるが、例えば、定着温度については非遮蔽用トナー像の定着条件（以下「通常の定着条件」ともいう）における定着温度に対して１．１〜１．４倍程度に増加させ、定着圧力については通常の定着条件における定着圧力に対して１．２〜１．６倍程度に増加させ、定着時間については通常の定着条件における定着時間に対して１．４〜３．０倍程度に増加させるとよい。
【００５３】
また、この特別条件は、例えば、定着後の遮蔽用トナー像（Ｉａ）が、そのトナー像を構成する遮蔽用トナー（Ｔａ）の粒子がつぶれて連続する膜を形成した状態で存在するようになること（図５ｂ参照）を判断基準にして設定された条件とすることが好ましい。特別条件は、この判断基準を満たすようにする観点から、定着条件の３要素の少なくとも１つの要素を増加させた設定の条件に設定される。
【００５４】
制御装置６は、例えば、図２に示すように、定着部５Ａの定着条件を実際に変更するための変更手段７１と、定着条件として特別条件を実際に選択して入力するための選択入力手段７２とに接続されている。
変更手段７１については、図２に示すように、制御装置６における定着部５Ａの定着制御部６２Ａの一部（定着条件の変更部）として構成される。また、選択入力手段７２については、図２に二点鎖線で示すように第１の画像形成装置１０Ａの筐体１１Ａの外面に設ける操作パネルに含まれる選択入力部（ボタン、選択画面など）として構成されるか、あるいは、画像形成装置１Ａに接続されるＰＣ等の端末機でドライバーのソフトウェアにより表示される選択入力画面として構成される。選択入力手段７２については、画像形成に使用する記録媒体９の種類の設定情報や検出情報に基づき、そのときの記録媒体９が特別の定着条件を選択することが好ましい記録媒体９Ａである場合に自動的に特別の定着条件を選択（選択した情報として出力）するようにソフトウェアにより構成することも可能である。選択入力手段７２が画像形成装置１Ａとは別体の外部機器で表示されるような上記選択入力画面として構成される場合は、制御装置６は変更手段７１のみに接続した構成にすれば十分である。
制御装置６においては、選択入力手段７２で入力された入力情報により、定着制御部６２Ａの定着条件変更部７１へ定着条件の変更の有無に関する情報（制御信号）を送信するようになっている。また、定着制御部６２Ａは、図２に示すように、定着装置５０Ａの定着条件に関する３要素（定着温度、定着圧力及び定着時間）を実際に変更する３要素制御部５５に接続されている。３要素制御部５５とは、加熱制御部、加圧制御部、回転速度制御部等で構成されている。
【００５５】
制御装置６により定着条件が変更される第１の画像形成装置１０Ａにおける定着部５Ａの定着装置５０Ａは、制御装置６から前記特別の定着条件に制御する指示を受けた場合、上記定着制御部６２Ａの３要素制御部５５により、定着温度、定着圧力、定着時間の少なくとも１つが増加されるよう制御される。具体的に説明すると、定着温度については加熱ロール５２における加熱ヒータの設定温度が所定量だけ上げられ、定着圧力についてはベルト式加圧用回転体５３における加圧パット５４の設定圧力が所定量だけ上げられ、定着時間については加熱ロール５２の回転速度が所定量だけ上げられる。なお、定着装置５０Ａは、制御装置６から前記特別の定着条件が選択されない間は、通常の定着条件に設定されている。また、非遮蔽トナー像（Ｉｂ）を形成する第２の画像形成装置１０Ｂにおける定着部５Ｂの定着装置５Ｂでは、常時、通常の定着条件に設定されている。
【００５６】
このような定着条件の制御を行う制御装置６を有する画像形成装置１Ａでは、前記画像パターン１，２による画像形成を行うときに、その定着部５Ａでの定着条件として制御装置６により前記特別条件を選択することが可能になっている。この選択は、原則として画像形成装置１Ａの使用者が必要に応じて行うが、前記したように記録媒体９として記録媒体９Ａが使用される場合に特別条件が自動的に選択される構成を採用した場合には、画像形成装置１Ａが自動で行うことになる。
【００５７】
そして、この画像形成装置１Ａにおいて画像パターン１，２による画像形成が行われる場合には、遮蔽用トナー像（Ｔａ）が形成される第１の画像形成装置１０Ａにおける定着部５Ａの定着動作について制御装置６による以下の制御が行われる。
【００５８】
すなわち、画像パターン１，２による画像形成が要求されると、図３に示すように、制御装置６では、定着条件の確認がなされ（ステップ１０：以下「Ｓ１０」と略記する。）、特別の定着条件が選択されているか否かが判断される（Ｓ１１）。
【００５９】
この際、特別の定着条件が選択されていない場合は、遮蔽用トナー像（Ｔａ）の定着を行う定着部５Ａの定着装置５０Ａでは、その定着条件が通常の定着条件に設定されているので、遮蔽用トナー像（Ｔａ）に対する定着動作が通常の定着条件で実行され（Ｓ１２）、その定着条件下での定着動作がすべて終了するまで継続して行われる（Ｓ１３）。遮蔽用トナー像（Ｔａ）の定着を通常の定着条件で行う場合とは、例えば、記録媒体９として前記白色以外の有色又は透明の記録媒体９Ａでない記録媒体や前記表面特性を有しない記録媒体を使用する場合などが挙げられる。
【００６０】
一方、特別の定着条件が選択されている場合は、遮蔽用トナー像（Ｔａ）の定着を行う定着部５Ａの定着装置５０Ａでは、その定着条件が図２に示す定着制御部６２の定着条件変更部７１を介して定着装置の３要素制御部５５により３要素の必要な要素について通常の定着条件よりも増加した設定値に変更される（Ｓ１４）。続いて、遮蔽用トナー像（Ｔａ）に対する定着動作が特別の定着条件で実行され（Ｓ１５）、その定着条件下での定着動作がすべて終了するまで継続して行われる（Ｓ１６）。
【００６１】
画像パターン１，２による画像形成において遮蔽用トナー像（Ｔａ）の定着動作が特別の定着条件で行われた場合は、図５ｂに例示するように、遮蔽用トナー像（Ｔａ）を構成する遮蔽用トナー（Ｔｗ等）の粒子がつぶれて連続する膜を形成した状態になり、そのときの仕上がり画像（Ｉａ，Ｉｂ）がその下地となる記録媒体９Ａの色等の影響を受けないで遮蔽用トナーによる遮蔽性が確保された良好な画質の画像として得ることができる。
【００６２】
本発明者らの研究によれば、上記記録媒体９Ａに転写した遮蔽用トナー像（Ｉａ）を非遮蔽用トナー像（Ｔｂ）のための通常の定着条件で定着した場合には、以下のような画質の不良が発生することが判明した。
すなわち、この場合は、図５ａに例示するように、通常の定着条件での定着では、遮蔽用トナー（Ｔｗ等）の粒子が十分につぶれておらず記録媒体９Ａの表面が少し露出する想定外の隙間１００が存在することがあり、その隙間１００がある画像部分では入射光ｈ１の一部が記録媒体９Ａの表面９Ａａに到達して反射するようになってしまい、この結果、仕上がり画像が記録媒体９Ａの色等の影響を受けてくすんだ色調で見える等、所要通りの画質にならないことがある。例えば、白色トナー（Ｔｗ）からなる遮蔽用トナー像（Ｔａ）上に有色トナーの非遮蔽トナー像（Ｔｂ）を形成したときの仕上がり画像（Ｉｂ）の場合（図４ｂ参照）では、記録媒体９Ａが明度や彩度が低いものである場合は、その有色トナーからなる非遮蔽用トナー像（Ｔｂ）が濁った色の画像として視認され、所望通りの色に発色しない傾向にある。
【００６３】
これに対し、上記記録媒体９Ａに転写した遮蔽用トナー像（Ｔａ）を遮蔽用トナー像（Ｔａ）のための特別の定着条件で定着した場合には、以下のように画質の不良が低減することが判明した。
すなわち、この場合は、図５ｂに例示するように、特別の定着条件で定着を行うことにより遮蔽用トナー像（Ｔａ）を構成する遮蔽用トナー（Ｔｗ等）の粒子がつぶれて連続する膜を形成した状態になって上記したような想定外の隙間１００が存在しなくなり、遮蔽用トナー像（Ｔａ）が形成された部分への入射光ｈ１，ｈ２は記録媒体９Ａの表面に到達して反射することなく遮蔽用トナー像（Ｔａ）又は非遮蔽トナー像（Ｔｂ）で正常に反射し、この結果、仕上がり画像（Ｉａ，Ｉｂ）が記録媒体９Ａの色等の影響を受けることが少なく所望通りの画質で得られるようになる。遮蔽用トナー像（Ｔａ）のみの仕上がり画像（Ｉａ）を形成した場合（図４ａ参照）には、図５ｂにおいて非遮蔽用トナー像（Ｔｂ）がない状態で得られることになる。
【００６４】
＜評価試験１＞
以下、この画像形成装置１Ａを用いて行った評価試験について説明する。
【００６５】
この試験１は、図６に示す各種の記録媒体９，９Ａに対して下記の遮蔽用トナーと非遮蔽用トナーからなるテスト画像を形成して下記の通常の定着条件又は特別の定着条件で定着したときに、その仕上がりテスト画像の発色及び画像強度のグレードについて調べた。この評価試験１の結果を図６に示す。
【００６６】
テスト画像の遮蔽用トナー像（Ｔａ）としては、白色トナー（Ｔｗ）を用いて記録媒体の片面全面に広がる像（画像面積率：Ｃin＝１００％％）を形成した。また、テスト画像の非遮蔽トナー像（Ｔｂ）としては、マゼンタトナー（Ｔｍ）を用いて平面寸法が２０ｍｍ×２０ｍｍからなる矩形パッチ像（Ｃin＝１００％）を（遮蔽用トナー像上に）所要の間隔で複数形成した。
通常の定着条件は、定着温度を約１６０℃、定着圧力を約４ｋｇｆ／cm2（≒４０Ｎ／cm2）、定着時間を約８０ｍｓ（ミリ秒）とした。一方、特別の定着条件は、定着温度を約１６０℃、定着圧力を約４ｋｇｆ／cm2（≒４０Ｎ／cm2）、定着時間を約１３０ｍｓとした。ちなみに、このときの特別の条件は、定着時間を増加させる（つまり定着の加熱ロール等の回転速度を低下させる）条件にした。このように定着時間を増加させることで特別の条件にする制御は、他の構成上の制約が比較的少なく容易に行える点で有利である。
【００６７】
発色のグレードは、得られた仕上がりテスト画像（非遮蔽用トナー像Ｉｂの部分）の濃度を測色器（Ｘ−Ｒｉｔｅ社製：９３８分光濃度計）によりＬ*，ａ*，ｂ*表色系におけるＣ*の値として測定し、そのときのＣ*値を以下の基準で５つの発色グレードに区分した。発色グレードが３以上の場合が良好な結果である。なお、透明フィルムの記録媒体の発色については、その透明フィルムの下に基準の黒色紙を置いて測定している。
発色グレード１：Ｃ*値が３９以下の場合
発色グレード２：Ｃ*値が４０〜４４の場合
発色グレード３：Ｃ*値が４５〜４９の場合
発色グレード４：Ｃ*値が５０〜５４の場合
発色グレード５：Ｃ*値が５５以上の場合
【００６８】
画像強度のグレードは、得られた仕上がりテスト画像（遮蔽トナー像Ｉａと非遮蔽用トナー像Ｉｂが重なる部分）を硬さの異なる鉛筆（鉛筆硬度６Ｈ〜ＨＢ〜６Ｂ）により引き掻き（スクラッチし）、テスト画像が破壊されない最低の硬度を調べ、そのときの硬度を以下の基準で５つの画像強度グレードに区分した。画像強度グレードが４以上の場合が良好な結果である。
画像強度グレード１：鉛筆硬度が６Ｂ〜４Ｂの場合
画像強度グレード２：鉛筆硬度が３Ｂ〜Ｂの場合
画像強度グレード３：鉛筆硬度がＨＢ〜Ｈの場合
画像強度グレード４：鉛筆硬度が２Ｈ〜４Ｈの場合
画像強度グレード５：鉛筆硬度が５Ｈ〜６Ｈの場合
【００６９】
図６に示す結果から、王研式平滑度が２０００ｓ以上であるか又は表面の算術平均粗さＲａが４μｍ以下となる範囲である記録媒体（コート紙、黒色フィルム、無色透明フィルム）９Ａに遮蔽トナー像を含むテスト画像を形成する場合、特別の定着条件を適用したときには、その得られた仕上がりテスト画像は、通常の定着条件を採用して得られたテスト画像に比べて、発色性に優れているとともに画像強度も向上することがわかる。また、白色以外の有色又は透明の記録媒体９Ａでも王研式平滑度と表面粗さがいずれも上記数値範囲から外れる記録媒体（エンボス紙、上質紙）に特別の定着条件を適用してテスト画像を形成した場合には、その得られた仕上がりテスト画像は、通常の定着条件を採用して得られたテスト画像に比べて、画像強度は向上するものの、発色性が低下することもわかる。
【００７０】
＜評価試験２＞
また、この画像形成装置１Ａを用いて行った評価試験２について説明する。
【００７１】
この試験２は、記録媒体９Ａとして評価試験１における無色透明フィルム（図６）を使用し、これに評価試験１と同じテスト画像を形成して図７に示す各種の定着条件で定着したときに、その仕上がりテスト画像の発色のグレードについて調べた。発色のグレードは、試験１と同じ方法で測定して区分し、その発色ブレードが３以上を「○」、２以下を「×」として評価した。この評価試験２の結果を図７に示す。
通常の定着条件は、図７ａに※１で示す条件であり、具体的には、試験１の場合と同様に、定着温度を約１６０℃、定着圧力を約４ｋｇｆ／cm2（≒４０Ｎ／cm2）、定着時間を約８０ｍｓ（ミリ秒）とした。それ以外の定着条件については、図７に示すように定着温度、定着圧力及び定着時間の少なくとも１つを増減又は減少させる内容とした。
【００７２】
図７に示す結果から、定着条件として、通常の定着条件の３要素の１つでも増加させた条件（「特別条件」に相当する）にした場合には、そのときに得られる仕上がりテスト画像の発色性がすべて向上することがわかる。一方、定着条件として、通常の定着条件の３要素の１つでも減少させた条件にした場合には、そのときに得られる仕上がりテスト画像の発色性がいずれも向上しないこともわかる。
【００７３】
なお、本発明者らの研究によれば、表面粗さがトナーの平均粒径（本例では６μｍ）よりも小さい粗さからなる記録媒体（エンボス紙、上質紙）９Ｂに遮蔽トナー像からなるテスト画像を形成する場合、特別の定着条件を適用すれば、その得られた仕上がりテスト画像は、評価試験１における算術平均粗さＲａの記録媒体にテスト画像を形成したときと同様に、通常の定着条件を採用して得られたテスト画像に比べて、白濃度が十分に得られることが確認されている。しかも、表面粗さが上記トナーの平均粒径よりも小さい粗さからなる記録媒体（エンボス紙、上質紙）９Ｂに遮蔽トナー像からなるテスト画像を図７に示す各種の定着条件で定着して形成する場合でも、そのときに得られる仕上がりテスト画像の白濃度がすべて向上することが確認されている。
【００７４】
［他の実施形態］
上記定着条件の制御を行う制御装置６を有する画像形成装置としては、実施の形態１に係る画像形成装置１Ａに限らず、他の構成（形式）の画像形成装置を適用することができる。
例えば、図８に示すように、遮蔽用トナー像（Ｔａ）と非遮蔽用トナー像（Ｔｂ）の双方を形成することができる像形成部２Ｃと、遮蔽用トナー像（Ｔａ）と非遮蔽用トナー像（Ｔｂ）を通常の定着条件又は特別の定着条件で定着することができる定着部５Ｃと、像形成部２Ｃに供給する記録媒体９を収容するとともに送り出す媒体供給部４Ｃとを備えた画像形成装置１Ｂを適用することが可能である。媒体供給部４Ｃは、前記第１の画像形成装置１０Ａにおける媒体供給部４Ａとほぼ同じ構成になっている。
【００７５】
像形成部２Ｃは、遮蔽用トナー像（Ｔａ）と非遮蔽用トナー像（Ｔｂ）を個別に形成する５つの作像ユニット２０Ｗ，２０Ｙ、２０Ｍ，２０Ｃ，２０Ｋと、ベルト式の中間転写ユニット３０とで構成されている。遮蔽用トナー像（Ｔａ）を形成する作像ユニット２０Ｗは、遮蔽用トナーとして例えば白色トナー（Ｔｗ）を適用しており、実施の形態１における像形成部２Ａにおける作像ユニット２０Ｗと同じ構成からなるものである。非遮蔽用トナー像（Ｔｂ）を形成する作像ユニット２０Ｙ、２０Ｍ，２０Ｃ，２０Ｋは、非遮蔽用トナーとして例えば前記４色の有色トナー（Ｔｙ，Ｔｍ，Ｔｃ，Ｔｋ）を適用しており、実施の形態１における像形成部２Ｂにおける作像ユニット２０Ｙ、２０Ｍ，２０Ｃ，２０Ｋと同じ構成からなるものである。中間転写ユニット３０は、前記第１の画像形成装置１０Ａ等における像形成部２Ａの中間転写ユニット３０とほぼ同様の構成になっている。
【００７６】
また、像形成部２Ｃは、実施の形態１における像形成部２Ａ，２Ｂと対比した場合、定着部５Ｃによる定着後の記録媒体９を供給搬送路４３の途中部分に合流するように再送する再送搬送路４９を増設している点が相違している。この再送搬送路４９は、定着部５Ｃの記録媒体の排出側の排出搬送路４８の途中部分と供給搬送路４３の途中部分との間を接続する搬送路であり、複数の搬送ロール対４９ａ〜４９ｅ、搬送ガイド部材等で構成されている。なお、排出搬送路４８の途中部分には、図示しない記録媒体９の搬送先を排出搬送路４８又は再送搬送路４９のいずれかに切り替えるための搬送先切替装置が配置されている。
【００７７】
定着部５Ｃは、図示しない専用の筐体の内部に、矢印で示す方向（図中において反時計回りの方向）に所要の速度で回転駆動するとともに表面温度が所要の温度に保持されるよう加熱手段によって加熱されるロール形式、ベルト形式等の加熱用回転体５２と、この加熱用回転体５２の軸方向にほぼ沿うように所要の圧力で接触して従動回転するロール形式、ベルト形式等の加圧用回転体５３とを設置した定着装置５０Ｃにて構成されている。
この定着装置５０Ｃによる定着は、原則として、加熱された状態で回転する加熱用回転体５２と加圧用回転体５３が接触する接触部に、未定着の遮蔽用トナー像（Ｉａ）及び非遮蔽用トナー像（Ｉｂ）の少なくとも一方が転写された記録媒体９が導入され、その接触部を通過する際に（所要の時間だけ）加熱及び加圧されることで行われる。
【００７８】
定着装置５０Ｃとしては、例えば、ロールニップ方式の定着装置を適用している。このロールニップ方式の定着装置５０Ｃは、加熱用回転体５２として回転駆動する加熱ロールを使用し、加圧用回転体５３として従動回転する加圧ロールを使用している。加熱ロールについては、そのロール内部に設置する加熱ヒータで加熱されるよう構成されている。また、加圧ロールについては、加熱ロールとの接触時の圧力を変更できるよう構成されている。
【００７９】
そして、この画像形成装置１Ｂにおいても、実施の形態１に係る画像形成装置１Ａの場合と同様に、以下３つのパターン（画像パターン１〜３）で区別される画像形成を行うことができるよう構成されている。
すなわち、画像パターン１は、像形成部２Ｃ及び定着部５Ｃにおいて作像ユニット２０ｗを作動して遮蔽用トナー像を形成して定着することにより遮蔽用トナー像（Ｔａ）のみからなる仕上がり画像（Ｉａ）を形成するパターンである。画像パターン２は、像形成部２Ｃ及び定着部５Ｃにおいて作像ユニット２０ｗを作動して遮蔽用トナー像（Ｔａ）を形成して定着した後に、遮蔽用トナー像（Ｔａ）が形成された記録媒体９を再送搬送路４９により像形成部２Ｃに再送して再び像形成部２Ｃ及び定着部５Ｃにおいて作像ユニット２０（Ｙ，Ｍ，Ｃ，Ｋ）のいずれか１つ又は複数を作動して非遮蔽用トナー像（Ｔｂ）を形成して定着し、これにより遮蔽用トナー像（Ｔａ）及び非遮蔽用トナー像（Ｔｂ）からなる仕上がり画像（Ｉｂ）を形成するパターンである。画像パターン３は、像形成部２Ｃ及び定着部５Ｃにおいてにおいて作像ユニット２０（Ｙ，Ｍ，Ｃ，Ｋ）のいずれか１つ又は複数を作動して非遮蔽用トナー像（Ｔｂ）を形成して定着することにより非遮蔽用トナー像（Ｔｂ）のみからなる仕上がり画像（Ｉｃ）を形成するパターンである。
【００８０】
また、この画像形成装置１Ｂにおいても、実施の形態１に係る画像形成装置１Ａの場合と同様に、定着条件の制御を行う制御装置６を備えており、遮蔽トナー像（Ｔａ）を形成する第１の画像形成装置１０Ａにおける定着部５Ａの定着条件について所望の条件を選択することができるようになっている。すなわち、制御装置６は、像形成部２Ｃにおいて遮蔽用トナー像（Ｔａ）を形成して白色以外の有色又は透明の記録媒体９Ａに転写する場合、定着部５Ｃにおける遮蔽用トナー像（Ｔａ）の定着条件として、非遮蔽用トナー像（Ｔｂ）の定着条件における上記３要素の少なくとも１つの要素を増加させた特別条件を選択し得るようになっている。
【００８１】
この制御装置６により定着条件が変更される対象の定着部５Ｃの定着装置５０Ｃでは、制御装置６にて特別の定着条件が選択される制御が行われた場合、図２に示すように制御装置６と接続される要素制御部５５により、定着温度、定着圧力、定着時間の少なくとも１つが増加されるよう制御される。
【００８２】
この他にも、上記定着条件の制御を行う制御装置６を有する画像形成装置としては、例えば、次の構成からなる画像形成装置を適用することも可能である。一例としては、実施の形態１における遮蔽用トナー像を形成する像形成部２Ａ及び非遮蔽用トナー像を形成する像形成部２Ｂと、上記他の実施の形態における定着部５Ｃと、記録媒体９を収容して像形成部２Ａ，２Ｂのいずれかに供給する媒体供給部と、定着部５Ｃの定着後の記録媒体９を像形成部２Ａ，２Ｂのいずれか一方に後処理搬送する後処理搬送路とを備えた画像形成装置である。
【００８３】
ちなみに、この画像形成装置による画像パターン２は、像形成部２Ａにおいて作像ユニット２０ｗ等を作動させて遮蔽用トナー像（Ｔａ）を形成して定着部５Ｃで定着した後に、その遮蔽用トナー像（Ｔａ）が形成された記録媒体９を後処理搬送路により像形成部２Ｂに搬送して像形成部２Ｃにおいて作像ユニット２０（Ｙ，Ｍ，Ｃ，Ｋ）のいずれか１つ又は複数を作動させて非遮蔽用トナー像（Ｔｂ）を形成して定着部５Ｃで定着し、これにより遮蔽用トナー像（Ｔａ）及び非遮蔽用トナー像（Ｔｂ）からなる仕上がり画像（Ｉｂ）を形成することになる。
【００８４】
また、他の例としては、上記他の実施の形態における像形成部２Ｃ及び媒体供給部４Ｃと、実施の形態１における定着部５Ａ及び定着部５Ｂと、像形成部２Ｃから排出される転写後の記録媒体９を定着部５Ａ及び定着部５Ｂのいずれか一方に搬送する搬送路と、定着部５Ａから排出される定着後の記録媒体９を像形成部２Ｃに再送する再送搬送路とを備えた画像形成装置である。この画像形成装置では、制御装置６からの選択結果に応じて定着部５Ａが通常の定着条件及び特別の定着条件のいずれか一方で定着を行うことが可能になっている。
【００８５】
この他、画像形成装置１は、遮蔽用トナー像と非遮蔽用トナー像を形成することができるものであればよく、その像形成部の画像形成方式、中間転写方式の構成や有無等については実施の形態１や他の実施の形態で例示した構成等に限定されない。
また、制御装置６により定着条件が選択変更される定着部５を構成する定着装置５０についても、通常の定着条件と特別の定着条件を切り替えることが可能な構成であれば、その形式等については特に限定されない。
さらに、記録媒体９としては、実施の形態１等で例示したカット紙に限定されず、その他にも例えば巻き取り形式で搬送する連続した連続用紙（フィルム系のものを含む）を適用してもよい。この連続用紙を適用する場合、画像形成装置としては例えば実施の形態１に係る画像形成装置１Ａ等に採用することができる。
【符号の説明】
【００８６】
１Ａ，２Ｂ…画像形成装置
２Ａ，２Ｂ，２Ｃ…像形成部
５Ａ，５Ｂ，５Ｃ…定着部
６  …制御装置（制御手段）
９  …記録媒体
９Ａ…白色以外又は有色又は透明の記録媒体
Ｔａ…遮蔽用トナー像
Ｔｂ…非遮蔽用トナー像
【図１】
2015022052.tif 000003
【図２】
2015022052.tif 000004
【図３】
2015022052.tif 000005
【図４】
2015022052.tif 000006
【図５】
2015022052.tif 000007
【図６】
2015022052.tif 000008
【図７】
2015022052.tif 000009
【図８】
2015022052.tif 000010